(57)【要約】【課題】ＲＯＭ等の記憶素子やＣＰＵ等の電子素子を設ける回路基板として、剛性のある回路基板を活用して、ＲＯＭシール等のシールを当該回路基板に貼り付けるにあたり、回路基板の形状に工夫を凝らすことで、シールを回路基板から剥がし易くして、電子素子や回路基板の再利用を容易に実現するようにした回路ユニットを備えてなる遊技機を提供する。【解決手段】回路ユニット２６０の回路基板２６１が切り欠き部２６１ｃを有するとともに、ＲＯＭシール２６６が、その左上側隅角部２６６ａにて、切り欠き部２６１ｃの切り欠き端面部２６１ｄから図示左上側へ延出するようにして、回路基板２６１の裏面２６１ａに接着されている。このため、回路基板２６１が固い基板であっても、ＲＯＭシール２６６の右上側隅角部２６６ａを、例えば、手の指ではさんで、回路基板２６１から引き離せば、ＲＯＭシール２６６を、全体的に、回路基板２６１から容易に剥がすことができる。【選択図】図７
2010227479.tif 000002
【特許請求の範囲】
【請求項１】
回路ユニットを備える遊技機において、
前記回路ユニットは、
剛性回路基板と、
この回路基板の面に設けたＲＯＭその他の電子素子と、
前記回路基板の外周部の一部に形成した切り欠き部から外方へ延出するように前記回路基板の前記面に接着されて前記ＲＯＭを少なくとも特定する識別標記体を表示してなるシールとを備えることを特徴とする遊技機。
【請求項２】
前記切り欠き部は、前記回路基板の前記外周部の一部を当該回路基板の端部としこの端部をテーパ状に切り欠き形成してなるテーパ状切り欠き部であり、
前記シールは、前記テーパ状切り欠き部から外方へ延出するように前記回路基板の前記面に接着されていることを特徴とする請求項１に記載の遊技機。
【請求項３】
回路ユニットを備える遊技機において、
前記回路ユニットは、
剛性回路基板と、
この回路基板の面に設けたＲＯＭその他の電子素子と、
前記回路基板にその外周部から凹状に形成した凹状切り欠き部を跨ぐように前記回路基板の前記面に接着されて前記ＲＯＭを少なくとも特定する識別標記体を表示してなるシールとを備えることを特徴とする遊技機。
【請求項４】
前記切り欠き部は、前記回路基板のうち前記ＲＯＭの近傍部位に形成されていることを特徴とする請求項１〜３のいずれか１つに記載の遊技機。
【発明の詳細な説明】
【技術分野】
【０００１】
本発明は、読みだし専用メモリー（ＲＯＭ）等の記憶素子や中央演算処理ユニット（ＣＰＵ）等の電子素子を回路基板に設けて構成する回路ユニットを備えてなる遊技機に関する。
【背景技術】
【０００２】
従来、この種の遊技機としては、例えば、下記特許文献１に記載の遊技機が提案されている。この遊技機は、基板ボックスを備えており、この基板ボックス内には、ＲＯＭを装着した制御基板が収容されている。ここで、ＲＯＭの表面には、当該遊技機のメーカ名等を記載したＲＯＭシールが接着剤により貼り付けられている。
【先行技術文献】
【特許文献】
【０００３】
【特許文献１】特開２００６−２３１０４２号公報
【発明の概要】
【発明が解決しようとする課題】
【０００４】
ところで、上述の遊技機において、省資源の観点からすれば当然のことであるが、ＲＯＭが特に高価であることからＲＯＭを再利用したいという要請が強い。従って、かかる要請に応えるにあたっては、上述のＲＯＭシールをＲＯＭから剥がす必要がある。
【０００５】
しかしながら、ＲＯＭの表面に対するＲＯＭシールの貼り付けがしっかりとなされているため、ＲＯＭシールをＲＯＭの表面から手で剥がそうとすると、ＲＯＭシールが破れてＲＯＭの表面に部分的に残るおそれがある。また、ＲＯＭシールを、例えば、ピンセットを用いてＲＯＭの表面から剥がそうとすると、ＲＯＭを装着した制御基板をピンセットにより傷を付けてしまうおそれがある。
【０００６】
また、仮にＲＯＭシールを剥がすことができたとしても、ＲＯＭシールの痕跡を残さないように、ＲＯＭを洗浄しなければならないという余分な作業を要する。
【０００７】
これに対しては、ＲＯＭシールをＲＯＭの近傍にて制御基板の表面に貼り付けることが考えられるが、これでは、制御基板の再利用にあたり、上述と同様のおそれが発生する。
【０００８】
そこで、本発明は、以上のようなことに対処するため、ＲＯＭ等の記憶素子やＣＰＵ等の電子素子を設ける回路基板として、剛性のある回路基板を活用して、ＲＯＭシール等のシールを当該回路基板に貼り付けるにあたり、回路基板の形状に工夫を凝らすことで、シールを回路基板から剥がし易くして、電子素子や回路基板の再利用を容易に実現するようにした回路ユニットを備えてなる遊技機を提供することを目的とする。
【課題を解決するための手段】
【０００９】
上記課題の解決にあたり、本発明に係る遊技機は、請求項１の記載によれば、回路ユニット（２６０）を備える。
【００１０】
当該遊技機において、回路ユニットは、
剛性回路基板（２６１）と、
この回路基板の面（２６１ａ、２６１ｂ）に設けたＲＯＭその他の電子素子（２６２、２６３、２６４）と、
回路基板の外周部の一部に形成した切り欠き部（２６１ｃ）から外方へ延出するように回路基板の上記面に接着されてＲＯＭを少なくとも特定する識別標記体を表示してなるシール（２６６）とを備えることを特徴とする。
【００１１】
これによれば、回路基板が剛性を有していても、当該回路基板の外周部の一部に切り欠き部を形成し、シールを、当該切り欠き部から外方へ延出するように回路基板の上記面に接着することで、シールの延出部位を、例えば、手の指ではさんで、回路基板から引き離せば、シールを、全体的に、回路基板から容易に剥がすことができる。
【００１２】
ここで、シールは、ＲＯＭではなく、回路基板の上記面に接着されているので、ＲＯＭを回路基板から取り外すという作業だけで、当該ＲＯＭの再利用が容易に可能となる。この場合、上述のごとく、シールはＲＯＭの表面に接着されてはいないので、当該シールをＲＯＭの表面から無理矢理剥がすという面倒な作業の発生や、この作業の結果、シールの痕跡が当該ＲＯＭの表面に残るという不具合の発生を未然に防止することができる。
【００１３】
また、回路基板の上記面に接着されているシールを剥がすにあたっては、上述のごとく、回路基板の切り欠き部からのシールの延出部位を、回路基板から引き離すだけで、当該シールを全体的に回路基板の上記面から良好にかつ容易に剥がすことができる。従って、回路基板を、シールの痕跡を残すことなく、良好に再利用することができる。なお、シールを剥がすにあたり、ピンセットを用いる必要がないので、当該ピンセットでもって回路基板に傷を付けるという事態が発生することもない。
【００１４】
また、本発明は、請求項２の記載によれば、請求項１に記載の遊技機において、
上記切り欠き部は、回路基板の上記外周部の一部を当該回路基板の端部としこの端部をテーパ状に切り欠き形成してなるテーパ状切り欠き部（２６１ｃ）であり、
シールは、上記テーパ状切り欠き部から外方へ延出するように回路基板の上記面に接着されていることを特徴とする。
【００１５】
このように切り欠き部をテーパ状に形成することにより、請求項１に記載の発明と同様の作用効果を達成することができる。
【００１６】
また、本発明に係る遊技機は、請求項３の記載によれば、回路ユニット（２６０）を備える。
【００１７】
当該遊技機において、回路ユニットは、
剛性回路基板（２６１）と、
この回路基板の面（２６１ａ、２６１ｂ）に設けたＲＯＭその他の電子素子（２６２、２６３、２６４）と、
回路基板にその外周部から凹状に形成した凹状切り欠き部（２６１ｅ）を跨ぐように回路基板の上記面に接着されてＲＯＭを少なくとも特定する識別標記体を表示してなるシール（２６６）とを備えることを特徴とする。
【００１８】
これによれば、回路基板が剛性を有していても、当該回路基板にその外周部から切り欠き部を凹状に形成し、シールを、当該切り欠き部を跨ぐように回路基板の上記面に接着することで、シールのうち凹状切り欠き部の内側に対する対応部を、例えば、手の指ではさんで、回路基板から引き離せば、シールを、全体的に、回路基板から容易に剥がすことができる。
【００１９】
ここで、シールは、ＲＯＭではなく、回路基板の上記面に接着されているので、ＲＯＭを回路基板から取り外すという作業だけで、当該ＲＯＭの再利用が容易に可能となる。この場合、上述のごとく、シールはＲＯＭの表面に接着されてはいないので、当該シールをＲＯＭの表面から無理矢理剥がすという面倒な作業の発生や、この作業の結果、シールの痕跡が当該ＲＯＭの表面に残るという不具合の発生を未然に防止することができる。
【００２０】
また、回路基板の上記面に接着されているシールを剥がすにあたっては、上述のごとく、シールのうち切り欠き部の内側に対する対応部位を、手の指ではさんで回路基板から引き離すだけで、当該シールを全体的に回路基板の上記面から良好にかつ容易に剥がすことができる。従って、回路基板を、シールの痕跡を残すことなく、良好に再利用することができる。
【００２１】
また、本発明は、請求項４の記載によれば、請求項１〜３のいずれか１つに記載の遊技機において、上記切り欠き部は、回路基板のうちＲＯＭの近傍部位に形成されていることを特徴とする。
【００２２】
これによれば、当該シールが、ＲＯＭを特定するＲＯＭシールであることを明確に認識させる役割を果たしつつ、請求項１〜３のいずれか１つに記載の発明の作用効果をより一層具体的に向上させることができる。
【００２３】
なお、上記各手段の括弧内の符号は、後述する実施形態に記載の具体的手段との対応関係を示すものである。
【図面の簡単な説明】
【００２４】
【図１】本発明に係るパチンコ遊技機の第１実施形態を示す前面図である。
【図２】図１の遊技盤の前面図である。
【図３】図１の遊技盤本体の背面斜視図である。
【図４】図３の遊技盤本体の分解斜視図である。
【図５】図４の表示装置本体を、蓋体を取り外した状態で示す背面斜視図である。
【図６】図５の最下段の回路ユニットをその裏面側からみた斜視図である。
【図７】図５の最下段の回路ユニットをその表面側からみた斜視図である。
【図８】図７の回路基板の部分破断拡大斜視図である。
【図９】本発明の第２実施形態の回路ユニットをその裏面側からみた図を示す
【図１０】図９の回路ユニットを示す拡大部分斜視図である。
【発明を実施するための形態】
【００２５】
以下、本発明の各実施形態を図面により説明する。
（第１実施形態）
図１は、本発明が適用されるパチンコ遊技機の第１実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００２６】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体にて、上記機枠に対し前後方向に開閉可能に支持されている。
【００２７】
また、当該遊技機本体Ｂは、ガイドレール２０、環状のセンター飾り３０及び多数の障害釘からなる障害釘群４０を備えている。ガイドレール２０は、遊技盤１０の盤面１１に沿い配設されており、このガイドレール２０は、その内周側において、遊技盤１０の盤面１１上に遊技領域１２を特定する。しかして、ガイドレール２０は、ハンドルＨ（図１参照）の回動操作により、球発射装置（図示しない）から発射される遊技球を案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００２８】
センター飾り３０は、図２にて示すごとく、遊技盤１０の中央開口部の外周部に盤面１１側から組み付けられている。障害釘群４０の各障害釘は、ガイドレール２０の内側において、センター飾り３０の左側から下側にかけて、遊技盤１０にその盤面１１側から分散して打ち込まれている。しかして、障害釘群４０によれば、ガイドレール２０から遊技領域１２内に転動する遊技球が、遊技盤１０の盤面１１に沿い、各障害釘との衝突を経て、下方へ転動する。
【００２９】
また、当該遊技機本体Ｂは、スタートチャッカー５０、電動チューリップ６０、スルーゲート７０、風車８０、複数の普通入賞口９０、アタッカー１００、複数の星形盤ランプ１１０及び複数の星形可動役物１２０を備えており、スタートチャッカー５０、電動チューリップ６０、スルーゲート７０、風車８０、各普通入賞口９０、アタッカー１００及び各星形盤ランプ１１０は、図２にて示す各位置にて、遊技盤１０の盤面１１に遊技領域１２内にて組み付けられている。また、各星形可動役物１２０は、図２にて示すごとく、センター飾り３０の右側部に配設されている。
【００３０】
また、当該遊技機本体Ｂは、図２〜図４にて示すごとく、表示演出装置２００を備えており、この表示演出装置２００は、遊技盤１０の中央部に設けた開口部１３（図４参照）から前方を臨むように、遊技盤１０にその背面側から装着されている。
【００３１】
表示演出装置２００は、図４或いは図５にて示すごとく、装置本体２００ａと、この装置本体２００ａをその背面から閉塞する蓋体２００ｂとにより構成されている。装置本体２００ａは、遊技機本体Ｂの遊技盤１０にその背面から装着されており、この装置本体２００ａは、図５にて示すごとく、液晶パネル２１０と、ランプ制御盤２１０ａと、演出制御盤２１０ｂと、複数の回路素子２２０と、複数の回路ユニット２３０〜２６０とを備えている。
【００３２】
ここで、液晶パネル２１０は、その表示面にて、遊技盤１０の開口部１３を通して前方を臨むように、当該開口部１３に装着されている。ランプ制御盤２１０ａ及び演出制御盤２１０ｂは、図５にて示すごとく、液晶パネル２１０にその背面側から左右に並んで装着されている。なお、ランプ制御盤２１０ａは、当該パチンコ遊技機における種々の電飾発光制御を司るものであって、パチンコ遊技機の機種によっては、変わり得る制御盤であるが、どちらかといえば、パチンコ遊技機の各機種に共通の制御盤である。また、演出制御盤２１０ｂは、当該パチンコ遊技機の演出全般の制御を司るものであるが、この演出制御盤２１０ｂは、パチンコ遊技機の各機種に共通の制御盤である。複数の回路素子２２０のうち、図５にて下側に位置する３つの回路素子２２０は、共に、コネクターである。
【００３３】
複数の回路ユニット２３０〜２６０は、図５にて示すごとく、装置本体２００ａの背面に、その図示右下部位にて上下に並んで装着されている。ここで、最下段に位置する回路ユニット２６０は、図６或いは図７にて示すごとく、回路基板２６１と、ＣＰＵ２６２、ＲＯＭ２６３、ＲＡＭ２６４及びコネクター２６５とを備えている。
【００３４】
回路基板２６１は、剛性電気絶縁樹脂材料からなる長手状板の両面に導電性配線パターンを形成して構成されており、この回路基板２６１は、その幅方向一側縁部（図７にて図示上下方向一側縁部）にて、表示装置本体２００ａの背面の右下部位に形成した帯状溝部（図示しない）内に嵌着されて、表示装置本体２００ａの背面方向に延出している。
【００３５】
ＲＯＭ２６３、ＣＰＵ２６２及びＲＡＭ２６４は、図７にて示すごとく、回路基板１６１の裏面２６１ａにその長手方向（図７にて図示左右方向）に間隔をおいて並んで装着されている。また、コネクター２６５は、図６にて示すごとく、回路基板２６１の表面２６１ｂに装着されており、このコネクター２６５には、ＣＰＵ２６２、ＲＯＭ２６３及びＲＡＭ２６４の各接続端子が、回路基板２６１を通して接続されている。
【００３６】
ここで、ＲＯＭ２６３には、ＣＰＵ２６２により実行される制御プログラムが、種々のデータと共に、予め記憶されている。ＣＰＵ２６２は、上記制御プログラムを実行して、コネクター２６５を介して液晶パネル２１０の表示制御を行う。ＲＡＭ２６４は、ＣＰＵ２６２により処理されるデータを、当該ＣＰＵ２６２によりコネクター２６５を介し入力されて記憶する。なお、本実施形態において、ＲＯＭ２６３に記憶される種々のデータは、ランプ、可動物や液晶パネル等に当該パチンコ遊技機に特有の演出や表示を行わせるためのデータである。
【００３７】
また、回路ユニット２６０は、図７にて示すごとく、ＲＯＭシール２６６を有しており、このＲＯＭシール２６６には、ＲＯＭ２６３の製造番号や当該パチンコ遊技機の型式番号（数字やアルファベット等からなる）等の各種識別文字その他の識別標記体が表示されている。なお、ＲＯＭシール２６６のシール材料としては、例えば、厚手の上質紙、ミラコート紙、厚手の和紙、ユポ或いはテトロンが挙げられる。
【００３８】
ここで、ＲＯＭシール２６６の回路基板２６１に対する取り付け構成について説明する。回路基板２６１は、図６及び図７にて示すごとく、テーパ状切り欠き部２６１ｃを有しており、この切り欠き部２６１ｃは、回路基板２６１の図７にて図示左上側隅角部をテーパ状に切り欠くことで形成されている。なお、切り欠き部２６１ｃは、ＲＯＭ２６６の左側近傍に位置している。
【００３９】
一方、ＲＯＭシール２６６は、回路基板２６１の裏面２６１ａのうちＲＯＭ２６３の左側面上側部位に所定の接着剤により接着されており、当該ＲＯＭシール２６６は、その左上側隅角部２６１ｃにて、回路基板２６１の切り欠き部２６１ｃの切り欠き端面部２６１ｄから図７及び図８にて図示左上側へ延出している。本実施形態において、上記所定の接着剤としては、ＲＯＭシール２６６を当該回路基板２６１から剥がせるような接着剤が採用されている。
【００４０】
以上のように構成した本第１実施形態において、例えば、当該パチンコ遊技機の遊技盤本体Ｂを新たな遊技盤本体に交換する際には、遊技盤本体Ｂのうち再利用可能なものは、当該遊技盤本体Ｂから取り外して再利用を図ることが、省資源の観点から要請されている。
【００４１】
例えば、上述した画像表示装置２００の回路ユニット２６０の再利用を図るにあたっては、蓋体２００ｂを表示装置本体２００ａから取り外した後、回路ユニット２６０を、表示装置本体２００ａから取り外す。
【００４２】
ここで、上述のごとく、回路ユニット２６０の回路基板２６１が切り欠き部２６１ｃを有するとともに、ＲＯＭシール２６６が、その左上側隅角部２６６ａにて、切り欠き部２６１ｃの切り欠き端面部２６１ｄから図７及び図８にて図示左上側へ延出するようにして、回路基板２６１の裏面２６１ａに接着されている。このため、回路基板２６１が固い基板であっても、ＲＯＭシール２６６の右上側隅角部２６６ａを、例えば、手の指ではさんで、回路基板２６１から引き離せば、ＲＯＭシール２６６を、全体的に、回路基板２６１から容易に剥がすことができる。
【００４３】
以上説明したように、本第１実施形態によれば、上述のごとく、ＲＯＭシール２６６は、ＲＯＭ２６３ではなく、回路基板２６１の裏面２６１ａに接着されているので、回路ユニット２６０の再利用にあたっては、ＲＯＭ２６３をコネクター２６５及び回路基板２６１から取り外すという作業だけで、当該ＲＯＭ２６３の再利用が容易に可能となる。このことは、高価なＲＯＭの再利用が、簡単な作業でもって可能となることを意味する。
【００４４】
ここで、上述のごとく、ＲＯＭシール２６６はＲＯＭ２６３の表面に接着されてはいないので、ＲＯＭシールをＲＯＭ２６３の表面から無理矢理剥がすという面倒な作業の発生や、この作業の結果、ＲＯＭシールの痕跡が当該ＲＯＭ２６３の表面に残るという不具合の発生を未然に防止することができる。このことは、ＲＡＭ２６４やＣＰＵ２６２についても同様に成立する。
【００４５】
また、回路基板２６１の裏面２６１ａに接着されているＲＯＭシール２６６を剥がすにあたっては、上述のごとく、回路基板２６１の切り欠き部２６１ｃから延出するＲＯＭシール２６６の延出右上側隅角部２６６ａを手の指ではさんで、回路基板２６１から引き離すだけで、ＲＯＭシール２６６を全体的に回路基板２６１の表面から良好にかつ容易に剥がすことができる。従って、回路基板２６１を、ＲＯＭシール２６６の痕跡を残すことなく、良好に再利用することができる。なお、ＲＯＭシール２６６を剥がすにあたり、ピンセットを用いる必要がないので、当該ピンセットにより回路基板に傷をつけてしまうという事態が発生することもない。
【００４６】
また、ＲＯＭ２６３の再利用にあたり、ＲＯＭ２６３を回路基板２６１に接続したままで当該ＲＯＭ２６３のデータや制御プログラムを書き換え可能な場合には、上述のごとくＲＯＭシール２６６を剥がすのみで、ＲＯＭ２６３を回路基板２６１に接続したまま再利用に供することができる。なお、書き換え後のＲＯＭ２６３には、その識別に要する新たなＲＯＭシールを回路基板２６１に貼着する。
（第２実施形態）
図９は、本発明の第２実施形態の要部を示している。この第２実施形態では、上記第１実施形態にて述べた回路ユニット２６０において、回路基板２６１は、上記第１実施形態にて述べた切り欠き部２６１ｃに代えて、Ｕ字状切り欠き部２６１ｅを有する。ここで、当該Ｕ字状切り欠き部２６１ｅは、図９にて示すごとく、回路基板２６１の図示左上側隅角部にて、当該回路基板２６１の図示上縁部側から下縁部側に向けＵ字状に切り欠き形成されており、この切り欠き部２６１ｅは、回路基板２６１の図示上縁部から図示上方へ開口している。
【００４７】
また、上記第１実施形態にて述べたＲＯＭシール２６６は、図９及び図１０にて示すごとく、回路基板２６１の裏面２６１ａに、当該回路路基板２６１の図示左上側隅角部にて、Ｕ字状切り欠き部２６１ｅに跨るように、所定の接着剤により接着されている。ここで、ＲＯＭシール２６６は、図９にて示すごとく、その左右方向中央部にて、Ｕ字状切り欠き部２６１ｅに対応するように、回路基板２６１の裏面２６１ａに接着されている。なお、ＲＯＭシール２６６は、そのＵ字状切り欠き部２６１ｅの内側に対する対応部以外の部位にて、上記所定の接着剤により回路基板２６１の裏面に接着されている。その他の構成は、上記第１実施形態と同様である。
【００４８】
このように構成した本第２実施形態において、上記第１実施形態と同様に、上述した画像表示装置２００の回路ユニット２６０の再利用を図るにあたっては、蓋体２００ｂを表示装置本体２００ａから取り外した後、回路ユニット２６０を、装置本体２００ａから取り外す。
【００４９】
ここで、上述のごとく、回路ユニット２６０の回路基板２６１が、上記第１実施形態とは異なり、Ｕ字状切り欠き部２６１ｅを有するが、ＲＯＭシール２６６が、図９及び図１０にて示すごとく、回路基板２６１の裏面２６１ａに、Ｕ字状切り欠き部２６１ｅに跨るように、接着されている。このため、ＲＯＭシール２６６は、そのＵ字状切り欠き部２６１ｅの内側に対する対応部にて、回路基板２６１から分離した状態に維持される。
【００５０】
従って、回路基板２６１が固い基板であっても、ＲＯＭシール２６６のうちＵ字状切り欠き部２６１ｅの内側に対する対応部を当該切り欠き部２６１ｅの開口側から手の指ではさんで、回路基板２６１からその裏面側へ引き離せば、ＲＯＭシール２６６を、全体的に、回路基板２６１から容易に剥がすことができる。なお、上述のようにＲＯＭシール２６６を剥がすにあたり、ピンセットを用いる必要がないので、当該ピンセットによって回路基板２６１を傷つけることはない。
【００５１】
以上説明したように、本第２実施形態によれば、上述のごとく、ＲＯＭシール２６６は、上記第１実施形態と同様に、ＲＯＭ２６３ではなく、回路基板２６１の裏面２６１ａに接着されているので、回路ユニット２６０の再利用にあたっては、ＲＯＭ２６３をコネクター２６５及び回路基板２６１から取り外すという作業だけで、当該ＲＯＭ２６３の再利用が容易に可能となる。ここで、上述のごとく、ＲＯＭシール２６６はＲＯＭ２６３の表面に接着されてはいないので、ＲＯＭシールをＲＯＭ２６３の表面から無理矢理剥がすという面倒な作業の発生や、この作業の結果、ＲＯＭシールの痕跡が当該ＲＯＭ２６３の表面に残るという不具合の発生を未然に防止することができる。このことは、ＲＡＭ２６４やＣＰＵ２６２の最良についても同様に成立する。
【００５２】
また、回路基板２６１の裏面２６１ａに接着されているＲＯＭシール２６６を剥がすにあたっては、上述のごとく、ＲＯＭシール２６６のうちＵ字状切り欠き部２６１ｅの内側に対する対応部を手の指ではさんで、回路基板２６１から引き離すだけで、ＲＯＭシール２６６を全体的に回路基板２６１の表面から良好にかつ容易に剥がすことができる。従って、上記第１実施形態と同様に、回路基板２６１を、ＲＯＭシール２６６の痕跡を残すことなく、良好に再利用することができる。その他の作用効果は上記第１実施形態と実質的に同様である。
【００５３】
なお、本発明の実施にあたり、上記各実施形態に限ることなく、次のような種々の変形例が挙げられる。
（１）ＲＯＭシール２６６の回路基板２６１に対する接着位置は、ＲＯＭ２６３の近傍であることが望ましいものの、回路基板２６１に形成し易い切り欠き部であれば、特に制限はない。
（２）本発明の実施にあたり、回路基板２６１に切り欠き部２６１ｃ或いは切り欠き部２６１ｅのような切り欠き部を形成することなく、回路基板２６１の裏面の端部から外方へ延出するように、ＲＯＭシール２６６を回路基板２６１の裏面に接着するようにしてもよい。これによれば、回路基板２６１に余分な加工を加えることなく、ＲＯＭシール２６６を回路基板２６１の裏面に接着することができるのは勿論のこと、ＲＯＭシール２６６の回路基板２６１からの延出部分を手の指ではさんで回路基板２６１からＲＯＭシール２６６を引き離すことで、ＲＯＭシール２６６を回路基板２６１から容易に剥がすことができる。
（３）本発明の実施にあたり、上記第１実施形態にて述べた切り欠き部２６１ｃ或いは上記第２実施形態にて述べた切り欠き部２６１ｅは、上記第１実施形態或いは上記第２実施形態にて述べた形状に限ることなく、適宜、変更して実施してもよい。
（４）ＣＰＵ２６２、ＲＯＭ２６３、ＲＡＭ２６４及びＲＯＭシール２６６は、上記各実施形態とは異なり、コネクター２６５に代えて、回路基板２６１の表面２６１ｂに設けるようにしてもよい。なお、この場合、コネクター２６５は、回路基板２６１の裏面２６１ａに設ければよい。
（５）本発明の実施にあたり、パチンコ遊技機に限ることなく、例えば、回路基板ユニットを備えるスロットルマシン（回胴式遊技機）等の各種遊技機に本発明を適用してもよい。
【符号の説明】
【００５４】
２６０…回路ユニット、２６１…回路基板、２６１ａ…裏面、２６１ｂ…表面、２６１ｃ、２６１ｅ…切り欠き部、２６２…ＣＰＵ、２６３…ＲＯＭ、２６４…ＲＡＭ、２６６…ＲＯＭシール。
【図１】
2010227479.tif 000003
【図２】
2010227479.tif 000004
【図３】
2010227479.tif 000005
【図４】
2010227479.tif 000006
【図５】
2010227479.tif 000007
【図６】
2010227479.tif 000008
【図７】
2010227479.tif 000009
【図８】
2010227479.tif 000010
【図９】
2010227479.tif 000011
【図１０】
2010227479.tif 000012